(57)【要約】【課題】電気的に接続されない宅配ボックスに関する情報を反映させることができる宅配システム及び宅配ボックスシステムを提供する。【解決手段】宅配システム１０は、入力部１４を備える。入力部１４は、施設１００に設置される宅配ボックス６とは別体であって、施設１００に固定されて宅配ボックス６に収容される配達物の情報を入力可能である。【選択図】図１
2019080255.tif 000002
【特許請求の範囲】
【請求項１】
施設に設置される宅配ボックスとは別体であって、前記施設に固定されて前記宅配ボックスに収容される配達物の情報を入力可能な入力部を備える
宅配システム。
【請求項２】
前記施設は、複数の住戸を含む集合住宅であって、
前記入力部は、前記複数の住戸の各々に設置されるインターホン子機、前記集合住宅の共用ロビーに設置されるロビーインターホン、及び前記共用ロビーの出入口を開閉する開閉部材を施錠又は解錠する電気錠装置のうち少なくとも１つの設備機器に設けられる
請求項１に記載の宅配システム。
【請求項３】
前記設備機器は、前記住戸内に設けられて前記インターホン子機及び前記ロビーインターホンとの間で通信を行うインターホン親機に前記情報を出力する出力部を更に有する
請求項２に記載の宅配システム。
【請求項４】
前記設備機器は、前記住戸の住人に前記情報を通知する通知部を更に有する
請求項２又は３に記載の宅配システム。
【請求項５】
前記設備機器は、前記住戸の住人が所有する携帯端末に前記情報を含む無線信号を送信する無線通信部を更に有する
請求項２〜４のいずれか１項に記載の宅配システム。
【請求項６】
前記携帯端末は、前記電気錠装置に前記開閉部材を施錠又は解錠させる機能を有する
請求項５に記載の宅配システム。
【請求項７】
前記施設は、複数の住戸を含む集合住宅であって、
前記複数の住戸と一対一に対応する複数の前記宅配ボックスが前記施設に設置されており、
前記入力部は、前記複数の住戸の各々に対して個別に前記情報を入力可能である
請求項１〜６のいずれか１項に記載の宅配システム。
【請求項８】
前記情報には、前記配達物の属性が含まれる
請求項１〜７のいずれか１項に記載の宅配システム。
【請求項９】
請求項１〜８のいずれか１項に記載の宅配システムと、前記宅配ボックスと、を備える
宅配ボックスシステム。
【発明の詳細な説明】
【技術分野】
【０００１】
本開示は、一般に宅配システム及び宅配ボックスシステムに関し、より詳細には、マンション等の施設に適用される宅配システム及び宅配ボックスシステムに関する。
【背景技術】
【０００２】
特許文献１には、マンション等の集合住宅に設置されるセキュリティシステムが記載されている。特許文献１に記載のセキュリティシステムは、居住者を認証する認証装置と、居住者宛の宅配物を保存する宅配物ロッカーと、認証装置によって自動的に開錠又は開放されるエントランス扉と、を備える。認証装置は、帰宅した居住者の認証に成功すると、エントランス扉を解錠又は開放させる。また、認証装置は、宅配物ロッカーに居住者宛の宅配物が保存されているか否かを判断し、宅配物が保存されていれば、宅配物が保存されていることを報知する。
【先行技術文献】
【特許文献】
【０００３】
【特許文献１】特開２０１１−４４８５０号公報
【発明の概要】
【発明が解決しようとする課題】
【０００４】
ところで、特許文献１に記載のセキュリティシステム（宅配ボックスシステム）では、宅配物ロッカー（宅配ボックス）が電気的に接続されていない場合、宅配物ロッカーに関する情報（配達物の有無等）を反映させることができなかった。
【０００５】
本開示は上記課題に鑑みてなされており、電気的に接続されない宅配ボックスに関する情報を反映させることができる宅配システム及び宅配ボックスシステムを提供することを目的とする。
【課題を解決するための手段】
【０００６】
本開示の一態様に係る宅配システムは、入力部を備える。前記入力部は、施設に設置される宅配ボックスとは別体であって、前記施設に固定されて前記宅配ボックスに収容される配達物の情報を入力可能である。
【０００７】
本開示の一態様に係る宅配ボックスシステムは、前記宅配システムと、前記宅配ボックスと、を備える。
【発明の効果】
【０００８】
本開示によれば、電気的に接続されない宅配ボックスに関する情報を宅配システムに反映させることができる、という利点がある。
【図面の簡単な説明】
【０００９】
【図１】図１は、本開示の一実施形態に係る宅配システム及び宅配ボックスシステムのブロック図である。
【図２】図２は、同上の宅配システムの動作を説明するシーケンス図である。
【図３】図３は、本開示の一実施形態の変形例に係る宅配システムのブロック図である。
【発明を実施するための形態】
【００１０】
（１）概要
以下、本実施形態に係る宅配システム１０及び宅配ボックスシステム２０の概要について、図１を参照して説明する。本実施形態に係る宅配システム１０は、施設１００に設置される宅配ボックス６が電気的に接続されない場合であっても、宅配ボックス６に関する情報を反映させることができるシステムである。ここでいう「宅配ボックスに関する情報」とは、宅配ボックスに収容される配達物の情報であり、例えば、配達物の有無、配達物の属性等である。また、ここでいう「配達物の属性」とは、例えば、配達物の宛先、送り主、品名、重量、配達業者の名称、サイズ（大きさ）、クール便（又はチルド便）か否かの区別等のことをいう。本実施形態に係る宅配システム１０は、配達物の情報を入力可能に構成された入力部１４を備えている。本実施形態に係る宅配ボックスシステム２０は、宅配システム１０と、宅配ボックス６と、を備えている。
【００１１】
施設１００は、本実施形態では一例として、マンション等の集合住宅（以下、「集合住宅１００」ともいう）である。宅配ボックス６は、集合住宅１００の住人が不在であるときに、例えば配達業者が配達してきた荷物（配達物）を保管するためのボックスであり、大別して、電子式（液晶パネル式）とダイヤル式との２種類がある。ダイヤル式の宅配ボックスは、電力を必要としない機械式の宅配ボックスであり、例えば、配達業者が決めた暗証番号にダイヤルを合わせることで扉が開き、ボックス内の荷物を取り出すことができる。電子式の宅配ボックスは、液晶画面を有し、液晶画面の表示内容に従って所定の操作を行うことによりボックスに荷物を入れたり、ボックスから荷物を取り出したりすることができる。本実施形態では一例として、宅配ボックス６は、ダイヤル式（機械式）の宅配ボックスである。また、本実施形態では、集合住宅１００を構成する複数の住戸１０１と一対一に対応する複数の宅配ボックス６が施設（集合住宅）１００に設置されている。
【００１２】
宅配システム１０は、本実施形態では一例として、集合住宅用のインターホンシステム３０に適用される。インターホンシステム３０は、図１に示すように、ロビーインターホン１と、複数（図示例では２つ）のインターホン子機２と、複数（図示例では２つ）のインターホン親機３と、制御装置４と、電気錠装置５と、を備えている。
【００１３】
ロビーインターホン１は、本実施形態では、集合住宅１００の共用ロビー１０２に設置される共用端末である。ロビーインターホン１は、制御装置４を介して、各インターホン親機３との間で通信（例えば、通話、及び映像信号の送信等）を行うように構成されている。ロビーインターホン１は、第１伝送路８１を介して制御装置４に接続されている。
【００１４】
また、ロビーインターホン１は、第４伝送路８４を介して電気錠装置５に接続されている。電気錠装置５は、共用ロビー１０２の出入口を開閉する開閉部材９を施錠又は解錠するように構成されている。開閉部材９は、本実施形態では一例として、共用ロビー１０２の出入口（開口部）に設置される自動ドアである。すなわち、電気錠装置５は、第４伝送路８４を介してロビーインターホン１から送られてくる制御信号（施錠信号又は解錠信号）に従って、開閉部材９を施錠又は解錠するように構成されている。
【００１５】
本実施形態では一例として、ロビーインターホン１が宅配システム１０を構成する。すなわち、本実施形態に係るロビーインターホン１は、宅配システム１０としての機能を有している。
【００１６】
複数のインターホン子機２の各々は、本実施形態では、集合住宅１００の各住戸１０１の玄関先に設置される玄関子機である。本実施形態では、複数のインターホン子機２と複数のインターホン親機３とが一対一に対応しており、各インターホン子機２は、第３伝送路８３を介して対応するインターホン親機３に接続されている。各インターホン子機２は、対応するインターホン親機３との間で通信（例えば、通話、及び映像信号の送信等）を行うように構成されている。
【００１７】
複数のインターホン親機３の各々は、本実施形態では、集合住宅１００の各住戸１０１内に設置される住戸端末である。各インターホン親機３は、第３伝送路８３を介して対応するインターホン子機２と接続されており、対応するインターホン子機２との間で通信（例えば、通話、及び映像信号の受信等）を行うように構成されている。
【００１８】
また、複数のインターホン親機３は、第２伝送路８２を介して制御装置４に接続されている。第２伝送路８２は、幹線８２１と、複数（図示例では２本）の分岐線８２２と、を含む。複数の分岐線８２２の各々は、分岐器７を介して幹線８２１から分岐している。複数の分岐線８２２は複数のインターホン親機３と一対一に対応しており、複数のインターホン親機３の各々は、対応する分岐線８２２を介して幹線８２１に接続されている。
【００１９】
制御装置４は、本実施形態では、集合住宅１００の管理室等に設置されている。制御装置４は、ロビーインターホン１と複数のインターホン親機３の各々との間の通信を中継するように構成されている。
【００２０】
なお、第１伝送路８１、第２伝送路８２、第３伝送路８３及び第４伝送路８４は、いずれもツイストペア線である。つまり、実際には、第１伝送路８１、第２伝送路８２、第３伝送路８３及び第４伝送路８４は２本の電線で構成されるが、図面上では１本の線で表している。
【００２１】
ところで、上述の特許文献１に記載のセキュリティシステムでは、宅配物ロッカーが電気的に接続されていない場合、宅配物ロッカーに関する情報を反映させることができなかった。そのため、集合住宅の住人は、配達業者からの不在通知を見たり、宅配物ロッカーを開けることでしか配達物の有無を確認することができなかった。
【００２２】
本実施形態に係る宅配システム１０は、電気的に接続されない宅配ボックス６であっても宅配ボックス６に関する情報を反映させることができるように、以下のように構成されている。
【００２３】
本実施形態に係る宅配システム１０は、入力部１４を備えている。入力部１４は、施設１００に設置される宅配ボックス６とは別体であって、施設１００に固定されて宅配ボックス６に収容される配達物の情報を入力可能である。本実施形態に係る宅配ボックスシステム２０は、宅配システム１０と、宅配ボックス６と、を備えている。本実施形態では、施設１００は、複数の住戸１０１を含む集合住宅であり、入力部１４は、複数の住戸１０１の各々に対して個別に配達物の情報を入力可能である。
【００２４】
上記構成によれば、宅配ボックス６が電気的に接続されない場合であっても、入力部１４によって宅配ボックス６に関する情報（配達物の情報）を宅配システム１０に反映させることができる。
【００２５】
（２）詳細
以下、本実施形態に係る宅配システム１０及び宅配ボックスシステム２０が適用されるインターホンシステム３０の詳細について、図１を参照して説明する。
【００２６】
（２．１）ロビーインターホン
まず、ロビーインターホン１（宅配システム１０）の構成について説明する。ロビーインターホン１は、図１に示すように、ロビー制御部１１と、ロビー通信部１２と、ロビー記憶部１３と、入力部１４と、通知部１５と、撮像部１６と、を有している。さらに、ロビーインターホン１は、インターホン親機３との間で通話を実現するための通話部（スピーカ及びマイクロホンを含む）等を有している。
【００２７】
ロビー制御部１１は、プロセッサ及びメモリを有するマイクロコンピュータで構成されている。つまり、ロビー制御部１１は、プロセッサ及びメモリを有するコンピュータシステムで実現されている。そして、プロセッサが適宜のプログラムを実行することにより、コンピュータシステムがロビー制御部１１として機能する。プログラムは、メモリに予め記録されていてもよいし、インターネット等の電気通信回線を通じて、又はメモリカード等の非一時的な記録媒体に記録されて提供されてもよい。
【００２８】
ロビー通信部１２は、インターホン親機３及び電気錠装置５と通信するための通信インターフェースである。ロビー通信部１２は、図１に示すように、第１伝送路８１を介して制御装置４（後述する伝送処理部４２）に接続されている。ロビー通信部１２は、制御装置４を介して、インターホン親機３との間で双方向に通信可能に構成されている。ロビー通信部１２は、音声信号、映像信号及び制御信号等を含む通信信号をインターホン親機３に送信する。さらに、ロビー通信部１２は、入力部１４を介して入力された配達物の情報を含む通信信号をインターホン親機３に送信してもよい。また、ロビー通信部１２は、インターホン親機３から送信される通信信号を受信し、受信した通信信号を復調することで音声信号等を取得する。音声信号は、ロビー制御部１１を介して通話部へ出力される。
【００２９】
また、ロビー通信部１２は、図１に示すように、第４伝送路８４を介して電気錠装置５（後述する錠通信部５２）に接続されている。ロビー通信部１２は、電気錠装置５との間で双方向に通信可能に構成されている。ロビー通信部１２は、第４伝送路８４を介して電気錠装置５に制御信号（施錠信号又は解錠信号）を送信する。また、ロビー通信部１２は、電気錠装置５から送信される通信信号を受信し、受信した通信信号を復調することで電気錠装置５の状態（施錠状態又は解錠状態）等を取得する。
【００３０】
ここに、本実施形態では、ロビー通信部１２により出力部１２０が構成されている。言い換えると、ロビーインターホン（設備機器）１は、住戸１０１に設けられてインターホン子機２及びロビーインターホン１との間で通信を行うインターホン親機３に配達物の情報を出力する出力部１２０を更に有している。
【００３１】
ロビー記憶部１３は、例えばフラッシュメモリ等の読み書き可能なメモリで構成されている。ロビー記憶部１３は、各住戸１０１のインターホン親機３に割り当てられるアドレスと、各住戸１０１の住戸番号（部屋番号）とを紐付けて記憶する。また、ロビー記憶部１３は、撮像部１６で撮像した映像を記憶する。さらに、ロビー記憶部１３は、入力部１４を介して入力された配達物の情報及び後述するカードキーのＩＤ情報を住戸番号に紐付けて記憶する。
【００３２】
入力部１４は、集合住宅１００への来訪者の操作を受け付けるための入力インターフェースである。本実施形態では、来訪者は、集合住宅１００に荷物（配達物）を配達に来た配達業者である。入力部１４は、例えばテンキー等の押ボタンスイッチで構成されている。なお、ロビーインターホン１がタッチパネルディスプレイを備えている場合には、タッチパネルディスプレイにより入力部１４が構成されていてもよい。配達業者は、配達先である住戸１０１の住人が不在である場合に、入力部１４を介して配達物の情報を入力する。
【００３３】
また、本実施形態では、入力部１４は、帰宅した住人が共用ロビー１０２の出入口に設けられた開閉部材９を解錠する際に使用する鍵に割り当てられたＩＤ情報（識別情報）を読み取るための読取部を有している。本実施形態では一例として、鍵はカードキーであり、読取部はカードリーダーである。カードリーダーにより読み取られたカードキーのＩＤ情報はロビー制御部１１に入力される。ロビー制御部１１は、受け取ったＩＤ情報を含む通信信号を作成し、この通信信号をロビー通信部１２から電気錠装置５に送信させる。
【００３４】
通知部１５は、住戸１０１の住人に、入力部１４で入力された配達物の情報を通知するように構成されている。本実施形態では、通知部１５は、液晶パネルからなる表示部を有している。通知部１５は、住戸１０１の住人がロビーインターホン１に対して所定の操作を行うと、当該住戸１０１に対応付けられた宅配ボックス６に配達物が収容されている場合に、配達物の情報を表示部に表示させる。ここで、所定の操作とは、例えば、住人がカードリーダーにカードキーをかざすことである。通知部１５は、例えば、「〇〇様から配達物が届いています」等のメッセージを表示部に表示させる。なお、本実施形態では、ロビーインターホン１が通話部を備えているため、通話部のスピーカから配達物の情報を音声にて出力するように構成されていてもよい。
【００３５】
撮像部１６は、撮像素子を有し、被写体（訪問者等）を撮像するためのカメラである。本実施形態では、来訪者がロビーインターホン１を操作する際に少なくとも来訪者の顔を撮像できるように、撮像部１６の撮像エリア（視野）は、ロビーインターホン１の前方に設定されている。本実施形態では一例として、撮像部１６は動画を撮像するカメラである。さらに、本実施形態では一例として、撮像部１６はカラー画像を撮像するカメラである。なお、撮像部１６は、静止画を撮像するカメラであってもよいし、モノクロ画像を撮像するカメラであってもよい。
【００３６】
撮像素子は、例えば、ＣＣＤ（Charge Coupled Devices）イメージセンサ、又はＣＭＯＳ（Complementary Metal-Oxide Semiconductor）イメージセンサ等の二次元イメージセンサである。撮像部１６は、被写体からの光をレンズ等の光学系によって撮像素子の撮像面（受光面）上に結像させ、撮像素子にて被写体からの光を電気信号に変換する。そして、撮像部１６は、撮像素子の出力信号を映像信号としてロビー制御部１１へ出力する。
【００３７】
（２．２）インターホン子機
次に、インターホン子機２の構成について説明する。インターホン子機２は、図１に示すように、子機制御部２１と、子機通信部２２と、子機記憶部２３と、撮像部２４と、を有している。さらに、インターホン子機２は、インターホン親機３との間で通話を実現するための通話部（スピーカ及びマイクロホンを含む）等を有している。
【００３８】
子機制御部２１は、プロセッサ及びメモリを有するマイクロコンピュータで構成されている。つまり、子機制御部２１は、プロセッサ及びメモリを有するコンピュータシステムで実現されている。そして、プロセッサが適宜のプログラムを実行することにより、コンピュータシステムが子機制御部２１として機能する。プログラムは、メモリに予め記録されていてもよいし、インターネット等の電気通信回線を通じて、又はメモリカード等の非一時的な記録媒体に記録されて提供されてもよい。
【００３９】
子機通信部２２は、インターホン親機３と通信するための通信インターフェースである。子機通信部２２は、図１に示すように、第３伝送路８３を介してインターホン親機３に接続されており、インターホン親機３との間で双方向に通信可能に構成されている。子機通信部２２は、音声信号、映像信号及び制御信号等を含む通信信号をインターホン親機３に送信する。また、子機通信部２２は、インターホン親機３から送信される通信信号を受信し、受信した通信信号を復調することで音声信号等を取得する。音声信号は、子機制御部２１を介して通話部へ出力される。
【００４０】
子機記憶部２３は、例えばフラッシュメモリ等の読み書き可能なメモリで構成されている。子機記憶部２３は、撮像部２４で撮像した映像等を記憶する。
【００４１】
撮像部２４は、撮像素子を有し、被写体（訪問者等）を撮像するためのカメラである。本実施形態では、来訪者がインターホン子機２を操作する際に少なくとも来訪者の顔を撮像できるように、撮像部２４の撮像エリア（視野）は、インターホン子機２の前方に設定されている。本実施形態では一例として、撮像部２４は動画を撮像するカメラである。さらに、本実施形態では一例として、撮像部２４はカラー画像を撮像するカメラである。なお、撮像部２４は、静止画を撮像するカメラであってもよいし、モノクロ画像を撮像するカメラであってもよい。
【００４２】
撮像素子は、例えば、ＣＣＤイメージセンサ、又はＣＭＯＳイメージセンサ等の二次元イメージセンサである。撮像部２４は、被写体からの光をレンズ等の光学系によって撮像素子の撮像面（受光面）上に結像させ、撮像素子にて被写体からの光を電気信号に変換する。そして、撮像部２４は、撮像素子の出力信号を映像信号として子機制御部２１へ出力する。
【００４３】
（２．３）インターホン親機
次に、インターホン親機３の構成について説明する。インターホン親機３は、図１に示すように、親機制御部３１と、親機第１通信部３２と、親機第２通信部３３と、親機記憶部３４と、表示部３５と、を有している。さらに、インターホン親機３は、ロビーインターホン１及びインターホン子機２との間で通話を実現するための通話部（スピーカ及びマイクロホンを含む）等を有している。
【００４４】
親機制御部３１は、プロセッサ及びメモリを有するマイクロコンピュータで構成されている。つまり、親機制御部３１は、プロセッサ及びメモリを有するコンピュータシステムで実現されている。そして、プロセッサが適宜のプログラムを実行することにより、コンピュータシステムが親機制御部３１として機能する。プログラムは、メモリに予め記録されていてもよいし、インターネット等の電気通信回線を通じて、又はメモリカード等の非一時的な記録媒体に記録されて提供されてもよい。
【００４５】
親機第１通信部３２は、インターホン子機２と通信するための通信インターフェースである。親機第１通信部３２は、図１に示すように、第３伝送路８３を介してインターホン子機２に接続されており、インターホン子機２との間で双方向に通信可能に構成されている。親機第１通信部３２は、音声信号及び制御信号等を含む通信信号をインターホン子機２に送信する。また、親機第１通信部３２は、インターホン子機２から送信される通信信号を受信し、受信した通信信号を復調することで音声信号及び映像信号等を取得する。音声信号は、親機制御部３１を介して通話部へ出力され、映像信号は、親機制御部３１を介して表示部３５へ出力される。
【００４６】
親機第２通信部３３は、ロビーインターホン１と通信するための通信インターフェースである。親機第２通信部３３は、制御装置４を介して、ロビーインターホン１との間で双方向に通信可能に構成されている。親機第２通信部３３は、音声信号及び制御信号等を含む通信信号をロビーインターホン１に送信する。また、親機第２通信部３３は、ロビーインターホン１から送信される通信信号を受信し、受信した通信信号を復調することで音声信号及び映像信号等を取得する。音声信号は、親機制御部３１を介して通話部へ出力され、映像信号は、親機制御部３１を介して表示部３５へ出力される。
【００４７】
親機記憶部３４は、例えばフラッシュメモリ等の読み書き可能なメモリで構成されている。親機記憶部３４は、自己を含むインターホン親機３に割り当てられるアドレスを記憶する。また、親機記憶部３４は、ロビーインターホン１又はインターホン子機２から送られてくる映像を記憶する。
【００４８】
表示部３５は、例えば液晶ディスプレイである。なお、インターホン親機３がタッチパネルディスプレイを備えている場合には、タッチパネルディスプレイにより表示部３５が構成されていてもよい。
【００４９】
（２．４）制御装置
次に、制御装置４の構成について説明する。制御装置４は、図１に示すように、制御部４１と、伝送処理部４２と、記憶部４３と、を有している。
【００５０】
制御部４１は、プロセッサ及びメモリを有するマイクロコンピュータで構成されている。つまり、制御部４１は、プロセッサ及びメモリを有するコンピュータシステムで実現されている。そして、プロセッサが適宜のプログラムを実行することにより、コンピュータシステムが制御部４１として機能する。プログラムは、メモリに予め記録されていてもよいし、インターネット等の電気通信回線を通じて、又はメモリカード等の非一時的な記録媒体に記録されて提供されてもよい。
【００５１】
伝送処理部４２は、第１伝送路８１を介してロビーインターホン１（ロビー通信部１２）に接続されている。また、伝送処理部４２は、第２伝送路８２を介して各インターホン親機３（親機第２通信部３３）に接続されている。伝送処理部４２は、ロビーインターホン１から送信される通信信号を受信し、この通信信号に含まれるアドレスが対応付けられたインターホン親機３に向けて当該通信信号を送信する。また、伝送処理部４２は、インターホン親機３から送信される通信信号を受信し、この通信信号をロビーインターホン１に向けて送信する。つまり、伝送処理部４２は、来訪者に呼び出された住戸１０１のインターホン親機３とロビーインターホン１とを接続し、両者間での通信（通話）を中継する。
【００５２】
記憶部４３は、例えばフラッシュメモリ等の読み書き可能なメモリで構成されている。記憶部４３は、各住戸１０１のインターホン親機３に割り当てられるアドレスと、各住戸１０１の住戸番号（部屋番号）とを紐付けて記憶する。
【００５３】
（２．５）電気錠装置
次に、電気錠装置５の構成について説明する。電気錠装置５は、図１に示すように、錠制御部５１と、錠通信部５２と、認証部５３と、錠記憶部５４と、駆動部５５と、を有している。
【００５４】
錠制御部５１は、プロセッサ及びメモリを有するマイクロコンピュータで構成されている。つまり、錠制御部５１は、プロセッサ及びメモリを有するコンピュータシステムで実現されている。そして、プロセッサが適宜のプログラムを実行することにより、コンピュータシステムが錠制御部５１として機能する。プログラムは、メモリに予め記録されていてもよいし、インターネット等の電気通信回線を通じて、又はメモリカード等の非一時的な記録媒体に記録されて提供されてもよい。
【００５５】
錠通信部５２は、ロビーインターホン１と通信するための通信インターフェースである。錠通信部５２は、ロビーインターホン１（ロビー通信部１２）との間で双方向に通信可能に構成されている。錠通信部５２は、ロビーインターホン１から送信される通信信号（例えば、解錠信号等）を受信し、この通信信号を錠制御部５１に出力する。
【００５６】
認証部５３は、ロビーインターホン１の入力部１４のカードリーダーにかざしたカードキーの認証を行うように構成されている。言い換えると、認証部５３は、カードキーが正規のカードキーであるか否かを判定する。ここでいう「正規のカードキー」とは、開閉部材９を開閉することを許可されたカードキーのことをいい、カードキーに割り当てられたＩＤ情報が錠記憶部５４に登録されているカードキーのことをいう。具体的には、認証部５３は、錠通信部５２を介してロビーインターホン１より受信したＩＤ情報と、錠記憶部５４から読み出したＩＤ情報とを比較し、両者が一致する場合に正規のカードキーであると判定する。そして、錠制御部５１は、認証部５３の認証結果から、カードキーが正規のカードキーであれば、電気錠装置５に開閉部材９を解錠させ、正規のカードキーでなければ、電気錠装置５に開閉部材９を解錠させない。
【００５７】
錠記憶部５４は、例えばフラッシュメモリ等の読み書き可能なメモリで構成されている。錠記憶部５４は、カードキーに割り当てられたＩＤ情報等を記憶する。
【００５８】
駆動部５５は、電動モータと、電動モータの駆動力を開閉部材９に伝達する伝達機構と、開閉部材９をロックするロック機構と、を備えている。駆動部５５は、開閉部材９を開放する場合、錠制御部５１からの駆動信号に従って、ロック機構によるロック状態を解除した後、電動モータを駆動する。電動モータの駆動力が伝達機構を介して開閉部材９に伝達されることによって、開閉部材９が開放される。また、駆動部５５は、開閉部材９を閉鎖する場合、錠制御部５１からの駆動信号に従って、電動モータを駆動して開閉部材９を閉鎖した後、ロック機構により開閉部材９をロックする。
【００５９】
（３）動作
次に、宅配システム１０の動作について図２を参照して説明する。
【００６０】
配達先の住戸１０１の住人が不在である場合、配達業者は、入力部１４を介して配達物の情報を入力する（ステップＳ１）。このとき、配達業者は、配達物の情報だけでなく、配達先の住戸１０１の住戸番号を入力する。入力部１４は、入力された配達物の情報と住戸番号とをロビー制御部１１に出力する（ステップＳ２）。ロビー制御部１１は、入力部１４から受け取った配達物の情報と住戸番号とを紐付けてロビー記憶部１３に記憶させる（ステップＳ３，Ｓ４）。また、このとき、ロビー制御部１１は、配達物の情報を含む通信信号を作成し、住戸番号に対応付けられたインターホン親機３に対してロビー通信部１２（出力部１２０）から通信信号を送信させてもよい。これにより、インターホン親機３の表示部３５に配達物の情報を表示させることができる。
【００６１】
帰宅した住戸１０１の住人は、入力部１４のカードリーダーにカードキーをかざして、開閉部材９の解錠操作を行う（ステップＳ５）。入力部１４は、カードキーのＩＤ情報を含む操作信号（解錠信号）をロビー制御部１１に出力する（ステップＳ６）。ロビー制御部１１は、操作信号に含まれるＩＤ情報が住戸１０１の住戸番号に対応付けられたＩＤ情報であれば、配達物の情報を通知部１５に通知させる（ステップＳ７，Ｓ８）。具体的には、通知部１５は、「〇〇様から配達物が届いています」等のメッセージを表示部に表示させたり、スピーカから音声にて出力させたりする。
【００６２】
本実施形態に係る宅配システム１０によれば、宅配ボックス６が宅配システム１０に電気的に接続されていない場合であっても、宅配ボックス６に関する情報（配達物の情報等）を入力部１４により宅配システム１０に反映させることができる。そして、住戸１０１の住人は、宅配ボックス６に関する情報を通知部１５により知ることができる。したがって、住戸１０１の住人は、配達業者からの不在通知を見たり、配達物の有無を確認するために宅配ボックス６を確認しなくてもよいという利点がある。
【００６３】
（４）変形例
上述の実施形態は、本開示の様々な実施形態の一つに過ぎない。上述の実施形態は、本開示の目的を達成できれば、設計等に応じて種々の変更が可能である。
【００６４】
（４．１）第１変形例
宅配システム１０を構成するロビーインターホン１は、図３に示すように、無線通信部１７を更に備えていてもよい。以下、第１変形例に係るロビーインターホン１について、図３を参照して説明する。
【００６５】
第１変形例に係るロビーインターホン１は、図３に示すように、ロビー制御部１１と、ロビー通信部１２と、ロビー記憶部１３と、入力部１４と、通知部１５と、撮像部１６と、無線通信部１７と、を備えている。なお、無線通信部１７以外の構成については上述の実施形態と同様であり、ここでは詳細な説明を省略する。
【００６６】
無線通信部１７は、図３に示すように、携帯端末２００と無線通信を行うための通信インターフェースである。第１変形例では一例として、携帯端末２００は、住戸１０１の住人が所有するスマートフォンである。無線通信部１７は、例えば、ＢＬＥ（Bluetooth（登録商標） Low Energy）等の近距離無線通信によって、携帯端末２００との間で双方向に通信可能に構成されている。無線通信部１７は、入力部１４を介して入力された配達物の情報を含む無線信号を携帯端末２００に送信する。言い換えると、ロビーインターホン（設備機器）１は、住戸１０１の住人が所有する携帯端末２００に配達物の情報を含む無線信号を送信する無線通信部１７を更に有している。このように、住戸１０１の住人が所有する携帯端末２００に配達物の情報を送信することによって、配達物の情報を携帯端末２００から通知することができる。
【００６７】
なお、無線通信部１７から携帯端末２００に配達物の情報を送信するタイミングは、上述の実施形態のように、住戸１０１の住人が帰宅するタイミングであってもよいし、配達業者が配達物の情報を入力したタイミングであってもよい。後者の場合、例えば、無線通信部１７がインターネット等のネットワークに接続することによって、住戸１０１の住人がロビーインターホン１の近くにいない状況でも、配達物の情報をネットワークを介して携帯端末２００に送信することができる。
【００６８】
また、第１変形例では、上述の実施形態で使用したカードキーの代わりに、携帯端末２００を鍵として使用する。言い換えると、携帯端末２００は、電気錠装置５に開閉部材９を施錠又は解錠させる機能を有している。
【００６９】
携帯端末２００を鍵として使用する場合、携帯端末２００の無線通信部からロビーインターホン１の無線通信部１７に向けて、ＩＤ情報を含む無線信号が送信される。ロビー制御部１１は、無線通信部１７を介して受信したＩＤ情報を含む通信信号を作成し、この通信信号をロビー通信部１２から電気錠装置５に送信させる。
【００７０】
電気錠装置５において、錠制御部５１は、錠通信部５２を介して受信したＩＤ情報を認証部５３に出力する。認証部５３は、錠制御部５１から受け取ったＩＤ情報と、錠記憶部５４から読み出したＩＤ情報とを比較し、両者が一致すれば正規の鍵であると判定し、一致しなければ未登録の鍵であると判定する。そして、錠制御部５１は、携帯端末２００が正規の鍵である場合にのみ開閉部材９を解錠する。
【００７１】
第１変形例によれば、住戸１０１の住人が所有する携帯端末２００に配達物の情報を送信することができる。また、第１変形例のように、携帯端末２００を鍵として使用する場合には、携帯端末２００によって開閉部材９を施錠又は解錠させることができる。
【００７２】
（４．２）その他の変形例
以下、上述の実施形態及び第１変形例の変形例を列挙する。以下に説明する変形例は、適宜組み合わせて適用可能である。
【００７３】
本開示における宅配システム１０の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における宅配システム１０の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００７４】
また、ロビー制御部１１、子機制御部２１、親機制御部３１、制御部４１及び錠制御部５１の各々の機能は、１つの装置に設けられていてもよいし、複数の装置に分散して設けられていてもよい。さらに、ロビー制御部１１、子機制御部２１、親機制御部３１、制御部４１及び錠制御部５１の各々の少なくとも一部の機能は、例えば、クラウド（クラウドコンピューティング）によって実現されていてもよい。
【００７５】
上述の実施形態及び第１変形例では、ロビーインターホン１が入力部１４を備えている場合を例として説明したが、ロビーインターホン１、インターホン子機２及び電気錠装置５のうち少なくとも１つが入力部を備えていればよい。すなわち、インターホン子機２及び電気錠装置５のいずれか一方が入力部を備えていてもよいし、ロビーインターホン１、インターホン子機２及び電気錠装置５のうちの２つ以上が入力部を備えていてもよい。言い換えると、入力部１４は、インターホン子機２、ロビーインターホン１及び電気錠装置５のうち少なくとも１つの設備機器に設けられていればよい。
【００７６】
さらに、入力部は、施設１００に固定されていればよく、ロビーインターホン１、インターホン子機２及び電気錠装置５と別体であってもよい。この場合、入力部を介して入力された配達物の情報については、有線又は無線にてロビーインターホン１、インターホン子機２又は電気錠装置５に伝送するように構成されていればよい。
【００７７】
上述の実施形態及び第１変形例では、ロビーインターホン１が出力部１２０（ロビー通信部１２）を有している場合を例として説明したが、インターホン子機２及び電気錠装置５のいずれか一方が出力部を有していてもよい。
【００７８】
上述の実施形態及び第１変形例では、ロビーインターホン１が通知部１５を有している場合を例として説明したが、インターホン子機２及び電気錠装置５のいずれか一方が通知部を有していてもよい。さらに、ロビーインターホン１、インターホン子機２及び電気錠装置５のうちの２つ以上が通知部を有していてもよい。
【００７９】
上述の実施形態及び第１変形例では、ロビーインターホン１により宅配システム１０が構成されている場合を例として説明したが、インターホン子機２及び電気錠装置５のいずれか一方により宅配システムが構成されていてもよい。さらに、ロビーインターホン１、インターホン子機２及び電気錠装置５の組み合わせにより宅配システムが構成されていてもよい。
【００８０】
上述の第１変形例では、携帯端末２００がスマートフォンである場合を例として説明したが、携帯端末２００は、スマートフォンに限らず、例えば汎用のＰＤＡ（Personal Digital Assistant）等であってもよい。
【００８１】
上述の実施形態では、宅配ボックス６が機械式（ダイヤル式）の宅配ボックスである場合を例として説明したが、宅配ボックス６は、機械式の宅配ボックスに限らず、電子式の宅配ボックスであってもよい。この場合、宅配ボックス６は、宅配システム１０に電気的に接続されていてもよいし、接続されていなくてもよい。
【００８２】
上述の実施形態では、インターホン親機３において、ロビーインターホン１と通信する通信部（親機第２通信部３３）と、インターホン子機２と通信する通信部（親機第１通信部３２）とが別々に設けられているが、１つの通信部であってもよい。また、ロビーインターホン１において、インターホン親機３と通信する通信部と、電気錠装置５と通信する通信部とが別々に設けられていてもよい。
【００８３】
上述の実施形態では、施設１００が集合住宅である場合を例として説明したが、施設１００は集合住宅に限らず、例えば、戸建て住宅であってもよいし、オフィスビル、工場、病院等の非住宅であってもよい。
【００８４】
（まとめ）
以上述べた実施形態から明らかなように、第１の態様に係る宅配システム（１０）は、入力部（１４）を備える。入力部（１４）は、施設（１００）に設置される宅配ボックス（６）とは別体であって、施設（１００）に固定されて宅配ボックス（６）に収容される配達物の情報を入力可能である。
【００８５】
第１の態様によれば、宅配ボックス（６）に収容される配達物の情報を入力部（１４）から入力することによって、宅配ボックス（６）に関する情報を宅配システム（１０）に反映させることができる。
【００８６】
第２の態様に係る宅配システム（１０）では、第１の態様において、施設（１００）は、複数の住戸（１０１）を含む集合住宅である。入力部（１４）は、インターホン子機（２）、ロビーインターホン（１）及び電気錠装置（５）のうち少なくとも１つの設備機器に設けられる。インターホン子機（２）は、複数の住戸（１０１）の各々に設置される。ロビーインターホン（１）は、集合住宅の共用ロビー（１０２）に設置される。電気錠装置（５）は、共用ロビー（１０２）の出入口を開閉する開閉部材（９）を施錠又は解錠する。
【００８７】
第２の態様によれば、インターホン子機（２）、ロビーインターホン（１）及び電気錠装置（５）のうちの少なくとも１つにおいて、宅配ボックス（６）に収容される配達物の情報を入力することができる。
【００８８】
第３の態様に係る宅配システム（１０）では、第２の態様において、設備機器（ロビーインターホン（１））は、インターホン親機（３）に情報を出力する出力部（１２０）を更に有する。インターホン親機（３）は、住戸（１０１）内に設けられて、インターホン子機（２）及びロビーインターホン（１）との間で通信を行う。
【００８９】
第３の態様によれば、入力部（１４）を介して入力された配達物の情報を、出力部（１２０）を介してインターホン親機（３）に出力することができる。
【００９０】
第４の態様に係る宅配システム（１０）では、第２又は３の態様において、設備機器（ロビーインターホン（１））は、住戸（１０１）の住人に情報を通知する通知部（１５）を更に有する。
【００９１】
第４の態様によれば、配達物の情報を住戸（１０１）の住人に通知することができる。
【００９２】
第５の態様に係る宅配システム（１０）では、第２〜４のいずれかの態様において、設備機器（ロビーインターホン（１））は、住戸（１０１）の住人が所有する携帯端末（２００）に情報を含む無線信号を送信する無線通信部（１７）を更に有する。
【００９３】
第５の態様によれば、住戸（１０１）の住人が所有する携帯端末（２００）に配達物の情報を送信することができる。
【００９４】
第６の態様に係る宅配システム（１０）では、第５の態様において、携帯端末（２００）は、電気錠装置（５）に開閉部材（９）を施錠又は解錠させる機能を有する。
【００９５】
第６の態様によれば、携帯端末（２００）によって開閉部材（９）を施錠又は解錠させることができる。
【００９６】
第７の態様に係る宅配システム（１０）では、第１〜６のいずれかの態様において、施設（１００）は、複数の住戸（１０１）を含む集合住宅である。複数の住戸（１０１）と一対一に対応する複数の宅配ボックス（６）が施設（１００）に設置されている。入力部（１４）は、複数の住戸（１０１）の各々に対して個別に情報を入力可能である。
【００９７】
第７の態様によれば、住戸（１０１）ごとに配達物の情報を入力することができる。
【００９８】
第８の態様に係る宅配システム（１０）では、第１〜７のいずれかの態様において、情報には、配達物の属性が含まれる。
【００９９】
第８の態様によれば、配達物の属性についても宅配システム（１０）に反映させることができる。
【０１００】
第９の態様に係る宅配ボックスシステム（２０）は、第１〜８のいずれかの態様の宅配システム（１０）と、宅配ボックス（６）と、を備える。
【０１０１】
第９の態様によれば、宅配ボックス（６）に収容される配達物の情報を入力部（１４）から入力することによって、宅配ボックス（６）に関する情報を宅配システム（１０）に反映させることができる。
【０１０２】
第２〜第８の態様に係る構成については、宅配システム（１０）の必須の構成ではなく、適宜省略可能である。
【符号の説明】
【０１０３】
１  ロビーインターホン（設備機器）
１４  入力部
１５  通知部
１７  無線通信部
１２０  出力部
２  インターホン子機（設備機器）
３  インターホン親機
５  電気錠装置（設備機器）
６  宅配ボックス
９  開閉部材
１０  宅配システム
２０  宅配ボックスシステム
１００  施設
１０１  住戸
１０２  共用ロビー
２００  携帯端末
【図１】
2019080255.tif 000003
【図２】
2019080255.tif 000004
【図３】
2019080255.tif 000005